(57)【要約】【課題】自然のぬくもりを感じさせて人の心を和ませる木材と、ホルムアルデヒドやアンモニア等の有害物を吸着脱臭したり、マイナスイオンを発生したりする炭を併せ用いて構成することにより、それらの有する作用効果を併せ発現させ、以て人や環境にやさしい空間を作り上げることが可能であり、シックハウス症候群、シックスクール等の対策に寄与し得るボードを提供することを課題とする。【解決手段】木製の表面板１の裏側に炭要素を配したことを特徴とするボードである。前記炭要素としては、炭塗料を塗布し又は含浸させたコア材８、炭塗料を塗布又は含浸させたシート、炭塗料を塗布した前記表面板の裏面、あるいは、固形、粒状又は粉状の炭等が考えられる。【選択図】図４
2007137048.tif 000002
【特許請求の範囲】
【請求項１】
木製の表面板の裏側に炭要素を配したことを特徴とするボード。
【請求項２】
前記表面板の裏側は開放されていて、前記炭要素は前記表面板の裏面に定着されている請求項１に記載のボード。
【請求項３】
前記表面板の裏側には裏面板が配置され、前記炭要素は前記表面板と前記裏面板との間に保持される請求項１に記載のボード。
【請求項４】
前記表面板と前記裏面板との間の周囲に桟木が配置されることにより前記表面板と前記裏面板との間に閉塞空間が形成され、前記炭要素は前記閉塞空間内に保持される請求項３に記載のボード。
【請求項５】
前記表面板と前記裏面板は、同種又は異種の目的に使用可能に構成される請求項３又は４に記載のボード。
【請求項６】
前記炭要素は、炭塗料を塗布し又は含浸させたコア板である請求項１に記載のボード。
【請求項７】
前記炭要素は、炭塗料を塗布又は含浸させたシートである請求項１に記載のボード。
【請求項８】
前記炭要素は、炭塗料を塗布した前記表面板の裏面である請求項１に記載のボード。
【請求項９】
前記炭要素は、固形、粒状又は粉状の炭である請求項１に記載のボード。
【請求項１０】
前記表面板の裏面にベニヤ板等の下地材を貼合せた請求項１乃至９のいずれかに記載のボード。
【請求項１１】
前記表面板を構成する表面部材として、木材を横断して年輪を表出させたものを用いる請求項１乃至１０のいずれかに記載のボード。
【請求項１２】
前記表面板の周囲の全体又は一部に、その周縁部を被覆する額縁を取り付けた請求項１乃至１１のいずれかに記載のボード。
【発明の詳細な説明】
【技術分野】
【０００１】
本発明はボード、より詳細には、黒板、ホワイトボード、掲示板等の狭義のボードのみならず、パーティション、床材、壁材、家具表面材等の住宅用建材を含む広義のボードに関するものである。
【背景技術】
【０００２】
上記ボードとしては、一般に木材、合成板、プラスチック材、リノリューム材等が用いられているが、中でも木製の板材が多用されている。木製板材は、木をその長さ方向に柾目又は板目にて切り出したもので、その木目をそのまま生かしたものもあるが、多くの場合化粧塗料が塗布されていて、自然のぬくもりを感じさせるものではない。
【０００３】
日本の住宅は古来から木造であり、現在も木造が多数を占めていることもあって、特に木目の表われた木製品は人の心を落着かせ、和ませるものであり、所謂癒やし効果がある。
【０００４】
また、炭も日本人に馴染みの深いものであり、最近は、燃料としてではなく、そのすぐれた吸着効果等を利用して、脱臭材等としての利用が広まりつつある。
【０００５】
このように、木及び炭は日本人にとって馴染みが深く、それぞれ心身に有用な作用を及ぼすものであるが、木及び炭を併用してそれらの有する効用を併せ発現させることを企図したボードは未だ提唱されていない。
【０００６】
【特許文献１】特開２０００−３４３６３１号公報
【特許文献２】特開２００４−５７０９７号公報
【特許文献３】特開２００４−５７５３８号公報
【発明の開示】
【発明が解決しようとする課題】
【０００７】
本発明は上記背景の下になされたもので、自然のぬくもりを感じさせて人の心を和ませる木材と、ホルムアルデヒドやアンモニア等の有害物を吸着脱臭したり、マイナスイオンを発生したりする炭を併せ用いて構成することにより、それらの有する作用効果を併せ発現させ、以て人や環境にやさしい空間を作り上げることが可能であり、シックハウス症候群、シックスクール等の対策に寄与し得るボードを提供することを課題とする。
【課題を解決するための手段】
【０００８】
上記課題を解決するための請求項１に記載の発明は、木製の表面板の裏側に炭要素を配したことを特徴とするボードである。前記炭要素としては、炭塗料を塗布し又は含浸させたコア材、炭塗料を塗布又は含浸させたシート、炭塗料を塗布した前記表面板の裏面、あるいは、固形、粒状又は粉状の炭等が考えられる。
【０００９】
前記表面板の裏側は開放されていて、前記炭要素は前記表面板の裏面に定着される構成とすることもあり、前記表面板の裏側には裏面板が配置され、前記炭要素は前記表面板と前記裏面板との間に保持される構成とすることもある。後者の構成の場合、前記表面板と前記裏面板との間の周囲に桟木が配置されることにより前記表面板と前記裏面板との間に閉塞空間が形成され、前記炭要素は前記閉塞空間内に保持されるようにすることができる。
【００１０】
掲示板、住宅用建材等として利用する場合は、前記表面部材は、ベニヤ板等の下地材の上に表面部材を貼合せたものとされる。好ましくは、前記表面部材として、木材を横断して年輪を表出させたものを用いる。また、前記表面板の周囲に、その周縁部を被覆する額縁を取り付けることがある。
【発明の効果】
【００１１】
本発明は上記のとおりであって、自然のぬくもりを感じさせて人の心を和ませる木材と、ホルムアルデヒドやアンモニア等の有害物を吸着脱臭したり、マイナスイオンを発生したりする炭を併せ用いて構成されるため、掲示板、黒板、パネル、床材、壁材、家具の表面材等として用いることにより、上記木及び炭の有する諸効果を併せ発現させて、人や環境にやさしい空間を作り上げることが可能であり、シックハウス症候群、シックスクール等の対策に寄与し得る効果がある。
【００１２】
請求項１１に記載の発明においては、表面部材として、木材を横断して年輪を表出させたものが用いられるために、更に、その厚さ方向への通気が可能となり、以て、コアによる吸着・脱臭能力が向上すると共に、マイナスイオン等の供給作用が促進され、また、いずれの場合も木材を用いるために画鋲刺し等が容易となる効果がある。
【発明を実施するための最良の形態】
【００１３】
本発明を実施するための最良の形態について、添付図面に依拠して説明する。本発明に係るボードは、木製の表面板の裏側に炭要素を配したことを特徴とする。炭要素としては、炭塗料を塗布し又は含浸させたコア材、炭塗料を塗布又は含浸させたシート、炭塗料を塗布した表面板の裏面、あるいは、固形、粒状又は粉状の炭が考えられる。
【００１４】
図１乃至４は、本発明に係るボードを用いて構成した掲示板を示すもので、それは、木製の表面板１の裏面周囲に桟木６を取り付け、桟木６で囲まれる空間５内に、炭要素として、炭塗料を塗布し又は含浸させたペーパーハニカムコア等のコア材８を配したものである。表面板１は、例えば、杉、ヒノキ、松等の集成材、又は無垢材の正方形、長方形等の表面部材２を複数縦横に継ぎ合わせて形成され（図４、図５参照）、あるいは、その裏面にベニヤ板等の下地材３を貼合わせて成る。
【００１５】
表面部材２として無垢材を用いる場合は、好ましくは、木材を横断して（輪切りにして）年輪を表出させたものを用いる（図４参照）。その場合は、年輪が表出する面白味があるだけなく、微細な通気路がその厚み方向に存在しているために一層通気状態が良くなる。また、集成材の場合も、同様に年輪を表出させることができる（図５参照）。
【００１６】
壁材、床材、家具の表面装飾材等として片面のみ利用する場合は、炭要素８ａを表面板１の裏面に定着し（例えば、上記炭塗料を塗布・含浸させたシートを接着し、あるいは、表面板１の裏面に炭塗料を塗布する。）、裏側は開放したままとすることができる。もちろんその場合、表面板１に裏面板４を密着配置して、炭要素８ａを挟み込むようにすることもできる（図５参照）。この場合の裏面板４としては、通例、ベニヤ板が用いられる。
【００１７】
両面利用とする場合は、裏面板４として、表面板１と同種又は異種（例えば、表面側が黒板で裏面側が掲示板）の構成のものが配置される。表面板１と裏面板４とは、その四周に配した桟木６を介して固定されて表面板１と裏面板４との間に空間５が確保され、そこに、例えばコア材８が装填されて接着固定される。ボードのサイズによっては、周囲だけでなく、中仕切り用に桟木６が用いられることもある（図２参照）。また、表面板２の外周縁部から木口にかかる部分を隠すように、全周に亘り、あるいは、一部に額縁７が取り付けられることもある。
【００１８】
裏面板４を配して閉塞された空間５を形成する構成において、炭要素として空間５内に、適宜サイズに砕いた固形の炭や、粒状又は粉状の炭を充填することもできる。粒状又は粉状の炭を充填する場合の空間５は、固形の炭を用いる場合に比較して幅狭なものとなる。
【００１９】
更に、両面利用の場合においても、表面板１の裏側に配設される炭要素として、炭塗料を塗布又は含浸させた樹脂製又は紙製のシートを用いることができ、あるいは、表面板１自体の裏面に炭塗料を塗布することも考えられる。通例これらの場合には、空間５を設けることなく、表面板１と裏面板４とを密着固定する。
【００２０】
図６及び図７は、本発明に係るボードを用いた黒板あるいは掲示板の構成例を示すもので、図６に示す例では、表面板１は、ベニヤ板等の下地材３の表面に黒板面９及び／又は掲示板面を設けて構成され、黒板の場合は、下辺の桟木６の下に、桟木６に沿って延びる粉受け１０が設置されている。
【００２１】
黒板面９は、一般的構成の鋼製黒板、ほうろう黒板、あるいは、ホワイトボードとすることができる。
【００２２】
図７に示す例では、額縁７ａが四周の木口を覆い、且つ、前方にせり出すようにして取り付けられている。この場合、粉受け１０は下辺の額縁７ａに取り付けられる。それ以外の構成は、図６に示すものと同じである。
【００２３】
図８（Ａ）、（Ｂ）に示す例は、黒板（又はホワイトボード）の変形例で、黒板面（白板面）９の周囲に表面部材２を露出させて（通例黒板面９の上に表面部材２を貼り付ける。）、上記木材の発現する諸効果を強調したものである。
【００２４】
図９に示す例は、本ボードを家具の表面装飾材として構成し、ダストボックスの表面扉に貼り付けたものである。本ボードはこの他にも、種々の家具、システムキッチン、パーティション、壁面等、多用途に利用可能である。
【００２５】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２６】
【図１】本発明に係るボードの一構成例の正面図である。
【図２】本発明に係るボードの一構成例の正面縦断面図である。
【図３】本発明に係るボードの一構成例の側面縦断面図である。
【図４】本発明に係るボードの要部斜視図である。
【図５】集成材を用いて形成した表面板の例を示す図である。
【図６】本発明に係るボードの一使用例の側面縦断面図である。
【図７】本発明に係るボードの他の使用例の側面縦断面図である。
【図８】本発明に係るボードの更に他の使用例の正面図である。
【図９】本発明に係るボードの更に他の使用例の斜視図である。
【符号の説明】
【００２７】
１        表面板
２        表面部材
３        下地材
４        裏面板
５        空間
６        桟木
７、７ａ  額縁
８        コア材
８ａ      炭要素
９        黒板面
１０        粉受け
【図１】
2007137048.tif 000003
【図２】
2007137048.tif 000004
【図３】
2007137048.tif 000005
【図４】
2007137048.tif 000006
【図５】
2007137048.tif 000007
【図６】
2007137048.tif 000008
【図７】
2007137048.tif 000009
【図８】
2007137048.tif 000010
【図９】
2007137048.tif 000011